(57)【要約】【課題】この発明の実施例は簡単な構成で容易に表示領域に適応した走査信号を得られるようにする。【解決手段】表示領域の複数位置を走査するための複数の出力信号を出力するドライバーと、前記ドライバーに対してスタートパルスを与えるとともに前記複数の出力信号の各出力時点を定めるドライバークロックを与える駆動回路とを有する。前記駆動回路は、同期信号に基づいて前記スタートパルスを出力するスタートパルス発生回路と、前記ドライバークロックを出力する駆動クロック出力回路と、前記スタートパルスの出力後、予め設定した期間が経過した時点で前記ドライバークロックの出力を停止させ、外部からの表示開始信号に基づいて前記ドライバークロックの出力を再開させる駆動クロック停止信号を出力する駆動クロック出力制御回路を具備する。【選択図】      図２
2011081246.tif 000002
【特許請求の範囲】
【請求項１】
表示領域の複数位置を順次駆動するための複数の出力信号を出力するドライバーと、前記ドライバーに対してスタートパルスを与えるとともに前記複数の出力信号の各出力時点を定めるドライバークロックを与える駆動回路とを有し、
前記駆動回路は、
同期信号または表示位置信号に基づいて前記スタートパルスを出力するスタートパルス発生回路と、
前記ドライバークロックを出力する駆動クロック出力回路と、
前記駆動クロック出力回路を制御し、前記スタートパルスの出力後、予め設定したダミー駆動期間が経過した時点で前記ドライバークロックの出力を停止させ、外部からの表示位置信号に基づいて前記ドライバークロックの出力を再開させる駆動クロック停止信号を出力する駆動クロック出力制御回路を具備したことを特徴とする平面表示装置の駆動装置。
【請求項２】
前記ドライバーの複数の出力信号の数をT1とし、前記表示領域の前記複数位置の数をT2とし、その差をｄ＝（T1-T2）とし、前記スタートパルスから前記ドライバークロックが停止するまでの前記ドライバーのダミー駆動数をDとするとき、少なくともD=(d/2)を基準値として前記ドライバークロックを設定していることを特徴とする請求項１記載の平面表示装置の駆動装置。
【請求項３】
前記ドライバーは、前記表示領域の前記複数位置にデータを供給する水平方向のドライバー若しくは前記表示領域の前記複数位置にライン選択信号を供給する垂直方向のドライバーのいずれかであることを特徴とする請求項２記載の平面表示装置の駆動装置。
【請求項４】
前記駆動クロック出力制御回路は、前記駆動クロック停止信号が出力開始する時間を調整可能であることを特徴とする請求項１記載の平面表示装置の駆動装置。
【請求項５】
前記駆動クロック出力制御回路は、前記駆動クロック停止信号が出力終了する時間を調整可能であることを特徴とする請求項１記載の平面表示装置の駆動装置。
【請求項６】
前記駆動クロック出力回路は、通常駆動クロックとこれより周波数の高い高速駆動クロックを選択的に出力可能であることを特徴とする請求項１記載の平面表示装置の駆動装置。
【請求項７】
さらに前記表示領域の共通電極の極性を切替えるタイミング信号を出力するタイミング信号発生回路及び前記領域の前記複数位置の走査方向を切替える走査方向制御信号を出力する走査方向記憶回路を有し、前記タイミング信号及び走査方向制御信号を、前記同期信号と前記スタートパルスの間で出力することを特徴とする請求項１記載の平面表示装置の駆動装置。
【請求項８】
表示領域の複数位置を順次走査するための複数の出力信号を出力するドライバーと、前記ドライバーに対してスタートパルスを与えるとともに前記複数の出力信号の各出力時点を定めるドライバークロックを与える駆動回路とを有する平面表示装置の駆動方法において、
同期信号または表示位置信号に基づいて前記スタートパルスを出力し、
前記スタートパルスの出力後、予め設定したダミー駆動期間が経過した時点で前記ドライバークロックの出力を停止させ、外部からの表示開始信号に基づいて前記ドライバークロックの出力を再開させる駆動クロック停止信号を出力するようにしたことを特徴とする平面表示装置の駆動方法。
【請求項９】
前記駆動クロック停止信号が出力開始する時間及び又は前記駆動クロック停止信号が出力終了する時間を微調整し、ダミー駆動期間を調整可能としている請求項８記載の平面表示装置の駆動方法。
【請求項１０】
前記ドライバークロックは、通常駆動クロックとこれより周波数の高い高速駆動クロックを切り替え可能としている請求項８記載の平面表示装置の駆動方法。
【発明の詳細な説明】
【技術分野】
【０００１】
この発明は、平面表示装置の駆動装置及び駆動方法に関するもので、液晶表示装置、LED表示装置、有機EL表示装置、SED表示装置などの駆動装置に有効である。
【背景技術】
【０００２】
例えば液晶表示装置は、表示領域に２次元配列された複数の画素を駆動するために、水平ドライバー及び垂直ドライバーを有する。水平ドライバーは、水平レジスタに対して駆動信号（水平方向走査信号）を与えている。水平レジスタは前記水平方向走査信号により駆動され１水平ライン分のデータを取り込むことができる。また垂直ドライバーは、複数の水平走査線を順次駆動するための駆動信号（垂直方向走査信号）を出力する。水平走査線がオンされると、水平レジスタの１水平ライン分のデータが一斉に当該水平走査線の複数の画素に供給される。
【０００３】
ところで、上記の表示領域を構成する基板と、前記ドライバー（水平ドライバー、垂直ドライバー）とは別々に生産されることがある。また、近年の集積化技術の進歩に伴い、ドライバーの走査信号出力部の数は増大している。このために、部品が組み立てられるとき、表示領域の走査に必要な複数の位置の数と上記ドライバーの複数の信号出力部の数とが必ずしも一致しない。通常はドライバーの複数の走査信号出力部の数が表示領域の複数の走査点の数よりも多い。
【０００４】
このような場合上記ドライバーを駆動する駆動回路は、ドライバーの駆動期間の修正が必要であり、複雑な演算回路を装備していた（特許文献１）。
【先行技術文献】
【特許文献】
【０００５】
【特許文献１】特開２００３−９８５０６号公報
【発明の概要】
【発明が解決しようとする課題】
【０００６】
この発明の目的は、簡単な構成により、容易に表示領域に適応した走査信号を得られるようにした平面表示装置の駆動装置及び駆動方法を提供することにある。
【課題を解決するための手段】
【０００７】
上記課題を解決するために基本的には、表示領域の複数位置を順次駆動するための複数の出力信号を出力するドライバーと、前記ドライバーに対してスタートパルスを与えるとともに前記複数の出力信号の各出力時点を定めるドライバークロックを与える駆動回路とを有し、前記駆動回路は、同期信号または表示位置信号に基づいて前記スタートパルスを出力するスタートパルス発生回路と、前記ドライバークロックを出力する駆動クロック出力回路と、前記ドライバークロックの出力と停止を制御し、前記スタートパルスの出力後、予め設定した期間が経過した時点で前記ドライバークロックの出力を停止させ、外部からの表示位置信号に基づいて前記ドライバークロックの出力を再開させる駆動クロック停止信号を出力する駆動クロック出力制御回路を具備したことを特徴とする。
【発明の効果】
【０００８】
上記の手段によると、使用しないドライバーの出力数（走査、信号線数）は、表示部の表示画素数、走査線数などを参考にすることで予め判断できる。したがって、ドライバーのダミー駆動回数も予め算出できるので複雑な演算回路などを使用することなく回路構成することができる。また表示位置信号に基づいて駆動クロックを再開させ表示スタートを行う構成であるから、表示位置変動のある映像信号に対しても有効である。
【図面の簡単な説明】
【０００９】
【図１】この発明が適用された平面表示装置の概略構成を示す図である。
【図２】この発明の一実施の形態の回路構成例を示す図である。
【図３】図２の回路の動作を説明するために示したタイミングチャートである。
【図４】図２の駆動クロック停止信号発生回路の具体例を示す図である。
【図５】図２の駆動クロック出力回路の具体例を示す図である。
【図６】図２の回路の他の実施形態の一部を取り出して示す図である。
【図７】この発明の回路の他の実施形態の動作例を説明するために示したタイミングチャートである。
【図８】この発明の回路のさらに他の実施形態の動作例を説明するために示したタイミングチャートである。
【図９】この発明の回路のさらにまた他の実施形態の動作例を説明するために示したタイミングチャートである。
【図１０】図２の回路の一部をさらに具体的に示す図である。
【図１１】この発明の回路のＸ（水平）ドライバーに関する動作例を示すタイミングチャートである。
【図１２】この発明の回路のＹ（垂直）ドライバーに関する動作例を示すタイミングチャートである。
【図１３】この発明の回路のまた他の実施形態の一部を示す図である。
【図１４】図１３の回路の動作例を説明するために示したタイミングチャートである。
【図１５】この発明の回路のさらにまた他の実施形態示す図である。
【図１６】図１５の回路の動作例を説明するために示したタイミングチャートである。
【図１７】図１５に示した実施形態のさらに他の例の一部を取り出して示す図である。
【図１８】この発明の回路のさらにまた他の実施形態の回路構成を示す図である。
【図１９】この発明の回路のさらにまた他の実施形態の動作例を説明するために示したタイミングチャートである。
【図２０】この発明の回路のさらにまた他の実施形態の動作例を説明するために示したタイミングチャートである。
【発明を実施するための最良の形態】
【００１０】
以下図面を参照して、この発明の実施の形態を説明する。図１はこの発明が適用された平面表示装置１０を示している。駆動回路１００には映像信号、同期信号、クロック信号が入力されている。駆動回路１００は、Ｘ、Ｙドライバー２００、３００を駆動する。Ｘドライバー２００は、表示領域４００の水平（X)方向に配列された複数のデータ線にデータを供給する。Ｙドライバー３００は、表示領域４００の（Y)方向に配列された水平走査線に対して駆動信号（ライン選択信号と称してもよい）を供給する。表示領域４００には２次元的に複数の画素が配列されている。
【００１１】
Ｘドライバー２００内の水平レジスタは水平方向走査信号（水平駆動クロックと称してもよい）により駆動され、１水平ライン分のデータを取り込むことができる。またＹドライバー３００は、垂直駆動クロックにより駆動され、複数の水平走査線を順次駆動するための垂直方向走査信号（ライン選択信号と称してもよい）を出力する。水平走査線がオンされると、水平レジスタの１水平ライン分のデータが一斉に当該水平走査線に接続されている複数の画素に供給される。
【００１２】
図２には説明を容易にするために、Ｘドライバー２００と、このＸドライバー２００に関連する部分を取り出した駆動回路１００の内部を示している。
【００１３】
入力部１０１に同期信号が供給される。同期信号検出回路１１１が同期信号を検出し、同期検出信号を出力する。同期検出信号は、カウンター回路１１２のリセット端子に供給される。カウンター回路１１２のカウント出力は、スタートパルス発生回路１１３、駆動停止位置検出回路１１４に入力される。スタートパルス発生回路１１３は、カウンター回路１１２のカウント値がｎのとき、スタートパルスを出力する。スタートパルスはＸドライバー２００に供給される。Ｘドライバー２００はスタートパルスが供給されると、水平方向駆動クロックに応答してデータ取り込みを行う。
【００１４】
前記カウンター回路１１２のカウント出力は、駆動停止位置検出回路１１４に入力されている。駆動停止位置検出回路１１４は、カウンター値が予め定めた値｛n＋(d/2)+e｝になったときセットパルスを出力する。ここで、ｎは同期信号を検出してからスタートパルスが出力されるまでの経過時間を決めるカウンター回路１１２のカウント値であり、ｅは微調整のための値（駆動停止位置補正信号）であり、ｄは後述のＸドライバー２００の複数の出力信号数と駆動端子数との差を表わしている。ｎ及びｄは固定値であり、この値を得るための特別な演算回路は不要である。このセットパルスにより駆動クロック停止信号発生回路１１５がセットされる。ここで、駆動停止位置検出回路１１４と駆動クロック停止信号発生回路１１５は、駆動クロック出力制御回路１１９を構成している。
【００１５】
駆動クロック停止信号発生回路１１５は、セットされたときに駆動クロック停止信号をオンするもので、この停止信号に応答して駆動クロック出力回路１１７は、Ｘドライバー２００に与えているドライバークロックを停止する。
【００１６】
駆動クロック停止信号発生回路１１５は、表示開始位置検出回路１１６からの表示開始検出信号によりリセットされる。駆動クロック停止信号発生回路１１５は、リセットされたときに駆動クロック停止信号をオフするもので、このとき駆動クロック出力回路１１７は、Ｘドライバー２００に与えるドライバークロックを再開する。
【００１７】
表示開始位置検出回路１１６は入力部１０２に与えられている表示位置信号（ＥＮＡＢ信号）を検出して、前記表示開始検出信号を出力する。
【００１８】
駆動クロック出力回路１１７は、外部から入力されるクロック信号に同期した駆動クロック発生回路１１８からの駆動クロックを用いて、Ｘドライバー２００に供給する適切な周波数のドライバークロックを生成している。
【００１９】
上記のＸドライバー２００は、ダミー駆動期間、駆動停止期間、表示領域駆動期間を持つ。駆動停止期間は、駆動停止位置検出回路１１４がセット信号を出力した時点から開始される。このセット信号出力時間は、Ｘドライバー２００の使用しないドライバー出力信号数に応じて調整される。即ち、Ｘドライバー２００の複数の出力信号数（または複数の出力信号期間）をT1とし、前記表示領域を駆動する水平方向の駆動端子数（駆動回数又は駆動期間）をT2とし、その差をｄ＝（T1-T2）とし、前記スタートパルスから前記駆動クロックが停止するまでの前記Ｘドライバー２００のダミー駆動回数（またはダミー駆動期間）をDとすると、例えばD=(d/2)に選定される。
【００２０】
この値を設定する回路が、スタートパルス位置設定回路１２１、ダミー駆動幅調整回路１２２である。ダミー駆動幅調整回路１２２は、前ダミー駆動幅設定回路１２３と演算回路１２４を含む。前ダミー駆動幅設定回路１２３は、値(d/2）を出力し、演算回路１２４は、この値(d/2）とスタートパルス位置設定回路１２１から出力される値n+eを加算する。加算出力は、n+(d/2)+eとして出力され駆動停止位置検出回路１１４の比較データとして用いられる。つまり、カウンター回路１１２のカウント値が、n+(d/2)+eとなったときにドライバークロックを停止するセット信号が出力される。
【００２１】
データ出力回路１３０は入力端子１０３に供給される映像信号をＸドライバー２００にデータとして与える回路であり、映像データは、駆動クロックに同期してＸドライバー２００内のレジスタ（図示せず）に取り込まれる。
【００２２】
図３には上記の回路の動作を説明するためにタイミングチャートを示している。３aはクロック信号であり、３ｂは同期信号であり、３ｃは映像表示期間を示す表示位置信号である。３ｄは映像信号、３eは同期検出信号、３ｆは表示開始検出信号である。また３ｇはカウンター回路１１２のカウント出力を示し、３ｈは先のスタートパルス設定回路１２１の出力となる固定値ｎ、３iは先の演算回路１２４の演算出力であるn+(d/2)+e（ここではe=0としている）を示している。さらに３ｊは駆動クロック停止信号発生回路１１５から出力される駆動クロック停止信号を示し、３ｋはデータ出力回路１３０の出力データ信号、３ｌは、スタートパルス発生回路１１３の出力であるスタートパルス、３ｍは駆動クロック出力回路１１７からＸドライバー２００に供給されるドライバークロック、３ｎはＸドライバー２００の駆動状態を示している。
【００２３】
同期信号の前縁で同期検出信号３eが得られ、これによりカウンター回路１１２がリセットされ、クロック信号のカウントを０から開始する。スタートパルス位置設定回路１２１により設定されているｎの値から、このカウンター回路１１２のカウンター値がｎ進んだところで、スタートパルス発生回路１１３がスタートパルス３ｌを出力する。そしてこのスタートパルスからカウント値が(d/2)進んだときに、駆動クロック停止信号３ｊが得られる。この停止状態は、映像信号の表示タイミングに同期した表示開始検出信号３ｆが来るまで続く。表示開始検出信号３ｆが得られると、Ｘドライバー２００に対するドライバークロックの供給が再開される。
【００２４】
上記の動作の結果、Ｘドライバー２００には、３ｎに示すように、前ダミー駆動期間、表示期間の駆動期間、残余の（ｄ／２）に相当する期間の後ダミー駆動期間が存在する。前ダミー駆動期間内は、ドライバークロック入力期間(d/2)と、停止期間が存在する。
【００２５】
上記した回路によると、同期信号検出時点ｔ１から映像信号開始時点ｔ２までの間に、Ｘドライバー２００を前ダミー駆動し、走査位置を表示領域駆動開始位置まで進め、待機状態ドライバークロック停止状態）とする。画像表示期間が終了した後、（ｄ／２）の相当期間だけ後ダミー駆動が実行される。このような駆動を行う理由は、表示領域の被駆動ライン数よりもＸドライバー２００の駆動出力端子数の方が多いからである。
【００２６】
上記した回路によると、ドライバークロックによりＸドライバー２００の駆動を再開する時点は、表示開始検出信号を検出した時点である。このために表示開始が位相変動、周期変動によりずれても正確に表示開始に同期してＸドライバー２００が駆動される。
【００２７】
図４には先の駆動クロック停止信号発生回路１１５の具体的回路例を示している。駆動停止位置検出回路１１４からのセット信号がＳ遅延調整回路４aに供給され、ここで調整されたセット信号がRSフリップフロップ回路４ｂのセット端子Sに入力される。また表示開始位置検出回路１１６からの表示開始検出信号（リセット信号）がＲ遅延調整回路４ｃを介してRSフリップフロップ回路４ｂのリセット端子に供給され、ＲＳフリップフロップ回路４ｂから駆動クロック停止信号が出力される。なお、Ｓ，Ｒ遅延調整回路４a,4cは無くてもよい。
【００２８】
図５には、先の駆動クロック出力回路１１７の具体例を示している。アンド回路５aの負入力端子には先の駆動クロック停止信号が入力され、正入力端子には駆動クロック発生回路１１８からの駆動クロックが入力されている。駆動クロック停止信号が正極性になると、出力であるドライバークロックの出力が停止され、駆動クロック停止信号が負極性になると、ドライバークロックが出力される。
【００２９】
図６にはこの発明の他の実施形態の要部を示している。先の実施例では駆動停止位置検出回路１１４は、同期検出信号によりリセットされるカウンター回路１１２のカウント値を参照した。しかし図６の実施例では、Ｘドライバー２００に供給されるスタートパルスによりリセットされるカウンター回路１４１の出力を、駆動停止位置検出回路１１４が参照する。この構成であると、図２の回路に比べて、駆動停止位置検出回路１１４にセットする値に対して、ｎを考慮する必要が無い。つまり、演算回路１２４に入力する要素としては、(d/2)とeのみでよい。駆動停止位置補正信号ｅの値は製品組み立て後、調整者により調整することができる。
【００３０】
図７は上記した図６の回路を用いた実施例の動作を示すタイミングチャートである。７aはクロック信号であり、７ｂは同期信号であり、７ｃは映像表示期間を示す表示位置信号である。７ｄは映像信号、７eは同期検出信号、７ｆは表示開始検出信号である。また７ｇはスタートパルス、７ｈはカウンター回路１４１のカウント出力を示し、７iは駆動クロック停止信号発生回路１１５から出力される駆動クロック停止信号を示し、7jはデータ信号、7kはＸドライバー２００に供給されるドライバークロック、7lはＸドライバー２００の状態を示している。
【００３１】
この発明は上記の実施例に限定されるものではない。図８は別の実施例を説明するために示したタイミングチャートである。８aはクロック信号であり、８ｂは同期信号であり、８ｃは映像表示期間を示す表示位置信号である。８ｄは映像信号、８eは同期検出信号、８ｆは表示開始検出信号である。
【００３２】
また８ｇはカウンター回路１１２又は１４１のカウンター出力の第１の例を示している。さらに８ｈはカウンター回路１１２又は１４１のカウンター出力の第２の例を示している。第１の例と第２の例は、カウント値が同期信号の１周期分連続するか否かの相違である。第２の例のカウンターは、カウント周期が短いカウンターであり、最高値に到達したらその値がホールドされる。そして、同期検出信号によりリセットされるタイプである。カウンターは、先の(d/2)の期間が満足されるだけの値をカウントする規模のカウンターであればよい。このカウンターを利用すれば、回路規模の縮小につながる。このようなカウンターであっても、本発明の回路の動作には支障はない。
【００３３】
8iは、駆動クロック停止信号、８ｊはデータ信号、８ｋはＸドライバー２００に供給されるスタートパルス、８ｌはＸドライバー２００に供給されるドライバークロック、８ｍはＸドライバー２００の出力の様子を示している。
【００３４】
この例であると、例えばデータ出力回路１３０でデータ遅延（DD）が生じた例を示している。このような場合は、８ｉに示す駆動クロック停止信号の後縁をＤＤ分だけ遅延させる必要がある。このような場合は、図４に示したＲ遅延調整回路４ｃに供給される表示開始検出信号の遅延量が調整される。これにより画像表示期間の開始タイミング（時間）とＸドライバー２００に供給されるドライバークロックの供給再開タイミング（時間）が合致することになる。このようなＲ遅延調整回路４ｃを設けることにより、上記遅延量調整は、製品製造完成時、経年経過時のメンテナンス時において可能である。
【００３５】
図９は、別の実施例を説明するために示したタイミングチャートである。９aはクロック信号であり、９ｂは同期信号であり、９ｃは映像表示期間を示す表示位置信号である。９ｄは映像信号、９eは同期検出信号、９ｆは表示開始検出信号である。また９ｇはカウンター回路１１２又は１４１のカウンター出力の例を示している。９ｈは、駆動クロック停止信号、９iはデータ信号、９jはＸドライバー２００に供給されるスタートパルス、９kはＸドライバー２００に供給されるドライバークロック、9lはＸドライバー２００の出力の様子を示している。
【００３６】
この実施例においては、前ダミー駆動期間におけるダミーパルスを、前半と後半に振り分けている。即ち、スタートパルスから駆動クロック停止信号が出力されるまでの期間を決める(d/2)を、データ遅延（ＤＤ）分だけ減少させた(d/2)-ｃに変更した前半部分と、ｃに相当する後半部分を設定することで、ダミーパルスを前半と後半に振り分けることができる。
【００３７】
図１０は、図２に示した回路の一部をさらに詳しく示している。同期信号検出回路１１１は、例えば１クロック分の遅延素子D1,D2,アンド回路A1により構成される。入力部１０１に供給される同期信号が正極性から負極性に変化したときにクロック信号の精度で、同期検出信号が出力される。
【００３８】
表示開始位置検出回路１１６も１クロック分の遅延素子D3,D4、アンド回路A2により構成され、入力部１０２に供給される表示位置信号が負極性から正極性に変化したときにクロック信号の精度で、表示開始検出信号を得ることができる。スタートパルス発生回路１１３は、比較器C1、ラッチ回路R1で構成され、カウンター回路１１２からの入力Aとスタートパルス位置設定回路１２１からの入力Bが一致したときにクロック信号の精度でラッチ回路R1からスタートパルスが出力される。駆動停止位置検出回路１１４も比較器C2,遅延素子D5で構成され、比較器C2のカウンター回路１１２からの入力Aとダミー駆動幅調整回路１２２からの入力Bが一致したときにクロック信号の精度でセット信号が出力される。駆動クロック停止信号発生回路１１５は、オア回路OR1,アンド回路A3,差動出力回路D6を有し、駆動停止位置検出回路１１４からのセット信号で駆動クロック停止信号（ハイレベル）を出力し、表示開始位置検出回路１１６からの表示開始検出信号であるリセット信号で駆動クロック停止信号をオフさせるためのローレベルを出力する。駆動クロック出力回路１１７は図５で説明したとおりである。データ出力回路１３０は直列接続された複数のレジスタ素子で構成されている。
【００３９】
図１１は、水平方向のＸドライバー２００が駆動可能な総画素数が３６０であり、表示領域４００の水平方向に配列された画素数が３２０の場合の駆動タイミングチャートの例を示している。１１aはクロック信号、１１ｂは駆動クロック停止信号、１１ｃはデータ信号、１１ｄはスタートパルス、１１eはＸドライバー２００へのドライバークロック、１１ｆはＸドライバー２００の出力の様子を示している。
【００４０】
Ｘドライバー２００からの複数の出力信号の数３６０は、画素数３２０に対してｄ（＝４０）多い。このために、Ｘドライバー２００はダミー駆動される必要がある。前述したように本発明の回路は、前ダミー駆動期間と後ダミー駆動期間を有する。前ダミー駆動期間では、Ｘドライバー２００からｄ／２に相当する２０の出力信号がダミーとして出力される。次にドライバークロック停止期間となり、表示開始検出信号に同期して、ドライバークロックの供給が再開される。再開された後、Ｘドライバー２００から水平表示画素数（３２０）の出力信号が得られる。その後は後ダミー駆動期間に移行する。この期間は、Ｘドライバー２００はｄ／２に相当する２０の出力信号を出力する。
【００４１】
なお上記の説明は、色データR,G,Bのうちの１つの系統の総画素数３６０について説明したが、実際の装置では、さらに２つの系統（それぞれ総画素数３６０）が存在する。
【００４２】
図１２は、垂直方向のＹドライバー３００が駆動可能な総走査線数が８００であり、表示領域４００の垂直方向に配列された走査線数が７６８の場合の駆動タイミングチャートの例を示している。１２aはクロック信号、１２ｂは表示開始検出信号、１２ｃはクロック停止信号、１２ｄはデータ信号（ライン選択信号又は走査信号）、１２eはスタートパルス、１２ｆはＹドライバー３００への駆動クロック（水平走査周波数信号）、１２ｇはＹドライバー３００の出力の様子を示している。前述したように本発明の回路は、前ダミー駆動期間と後ダミー駆動期間を有する。即ち、Ｙドライバー３００からの複数の出力信号の数８００は、走査線の数７６８に対してｄ（＝３２）多い。このため、前ダミー駆動期間では、Ｙドライバー３００からｄ／２に相当する１６の出力信号（ライン選択信号）がダミーとして出力される。次にドライバークロック停止期間となり、表示開始検出信号に同期して、ドライバークロックの供給が再開される。再開された後、Ｙドライバー３００から走査線数（７６８）の出力信号が得られる。その後は後ダミー駆動期間に移行する。この期間は、Ｙドライバー３００はｄ／２に相当する１６の出力信号（ライン選択信号）を出力する。なお図１２では、水平走査系統のクロック信号などを併せて示しているが、図１１の説明と同じであるからここでは省略する。
【００４３】
この発明は上記の実施形態に限定されるものではない。さらなるＸドライバー２００に供給するドライバークロックの種類として拡張応用が可能である。
【００４４】
図１３にはこの発明の他の実施形態における一部を示している。大半の部分は図２に示した構成と同じであるために、図２の構成と異なる部分を取り出して示している。この実施の形態は、駆動クロック発生回路１１８から所定周波数の駆動クロックと、その高速（ａ倍速：ａは整数）の駆動クロックが出力されている。この２種類の駆動クロックが供給される駆動クロック出力回路１１７は、いずれか一方の駆動クロックを選択的にドライバークロックとして出力することができる。高速駆動クロックは、例えばＸドライバー２００の出力信号数と、表示領域の駆動位置の数との差が非常に大きい場合に用いると効果的である。高速駆動クロックと通常駆動クロックとの切り替えは、例えば予め設定した切替え信号により実行される。切替え信号は、駆動回路１００内部で生成してもよいし、外部に設けられる、例えば制御部（図示せず）によって生成するように構成してもよい。
【００４５】
図１４は図１３に示した実施形態の動作を説明するためのタイミングチャートである。図１４は図３のタイミングチャートの一部を取り出して示している。そしてＸドライバー２００に供給される３ｍに示すドライバークロックの出力形態の例を示している。この実施例では、高速駆動クロックと通常駆動クロックが選択的に出力されている。
【００４６】
さらにこの発明は、上記の実施形態に限定されるものではない。さらなる機能が追加されてもよい。液晶表示装置においては、共通電極の極性切換え、走査方向の切換えが行われる。この切換えタイミングを設定するための信号を生成するブロックが備わってもよい。
【００４７】
即ち図１５に示すように、同期検出信号を用いてタイミング信号を生成するタイミング信号発生回路１３５、同期検出信号と走査方向切替え信号を用いて走査方向制御信号を出力する走査方向記憶回路１３６が設けられている。他の部分は、図２に示し説明した内容と同じであるから図２に示す符号と同じ符号を付している。
【００４８】
図１６は図１５に示した回路の動作を説明するためのタイミングチャートである。図１６は図３に示したタイミングチャートとほとんど同じであり、異なる部分は、後述の３ｐ（a）,３ｐ（b）に示すタイミング信号と、３ｑ（a）、３ｑ（b）に示す走査方向制御信号が追記されている点である。
【００４９】
タイミング信号発生回路１３５は３ｐ（ａ）に示すタイミング信号を同期検出信号が得られるごとに出力する。また走査方向記憶回路１３６は３ｑ（ａ）に示す走査方向制御信号を同期検出信号が得られるごとに出力する。
【００５０】
タイミング信号発生手段、走査方向制御信号発生手段の別の例として、図１７（A)、図１７（B)に示すような構成でもよい。
【００５１】
図１７（A)の例は、カウンター回路１１２のカウンター出力を用いてタイミング信号を得る方式である。また図１７（B)の例は、走査方向切替え信号とカウンター回路１１２の出力を用いて走査方向制御信号を得る方式である。この場合、タイミング信号発生回路１３５は３ｐ（ｂ）に示すタイミング信号を出力する。また走査方向記憶回路１３６は３ｑ（ｂ）に示す走査方向制御信号を出力する。
【００５２】
この図１６に示すタイミングチャートから理解できるように、上記３ｐ（ａ）、３ｐ（ｂ）に示すタイミング信号、３ｑ（a）、３ｑ（b）に示す走査方向制御信号は、表示領域の走査が開始される前に発生されている。つまり３ｅに示す同期検出信号と３ｌに示すスタートパルスとの間に上記３ｐ（ａ），３ｐ（ｂ）に示すタイミング信号、３ｑ（a）、３ｑ（b）に示す走査方向制御信号が出力されるようになっている。
【００５３】
ドライバーがＸドライバー（水平方向ドライバー）２００であるときは、走査方向制御信号は水平走査方向の切替え制御信号を利用することができる。また共通電極の信号を水平ライン毎に反転するタイプの装置であるときは前記タイミング信号を利用することができる。
【００５４】
ドライバーがＹドライバー（垂直方向ドライバー）３００であるときは、走査方向制御信号は垂直走査方向の切替え制御信号として利用できる。またこのとき水平方向の走査方向切替えをおこなってもよい。また共通電極の信号を垂直期間毎に反転するタイプの装置であるときは前記タイミング信号を利用することができる。
【００５５】
上記の実施形態においては、同期信号に基づいて制御する場合について説明しているが、表示位置信号に基づいて制御するように構成することも可能である。
【００５６】
図１８には、この表示位置信号に基づいて制御する場合の実施形態を示している。主な回路構成は、図２などに示した構成と同じであるため、同じ構成部分については同じ符号を付して、その詳細な説明は省略する。この実施形態が図２に示した実施形態と異なる部分は、同期信号検出回路１１１を使用することなく、表示位置信号に基づいている点にある。また、図１９には、上記の回路の動作を説明するためのタイミングチャートを示している。１９ａは表示終了検出信号であり、その他３ａ〜３ｎは、図３において記載した各対応する信号を示している。
【００５７】
入力部１０２に与えられている表示位置信号３ｃは、表示開始位置検出回路１１６に与えられて表示開始検出信号３ｆを発生させる。この表示位置信号３ｃは表示終了位置検出回路１５０にも供給され、表示終了検出信号１９ａを発生させる。この検出された表示終了検出信号１９ａはカウンター回路１１２のリセット端子に供給される。このカウンター回路１１２のカウンター出力は、スタートパルス発生回路１１３と駆動停止位置検出回路１１４に供給されている。即ち、映像表示期間を示す表示位置信号３ｃが表示開始位置検出回路１１６に供給され、この表示開始位置検出回路１１６によって表示開始位置を検出して表示開始検出信号３ｆを出力し、駆動クロック停止信号発生回路１１５のリセット端子に供給される。
【００５８】
一方、この表示位置信号３ｃが供給される表示終了位置検出回路１５０では、表示終了検出信号１９ａが検出され、カウンター回路１１２のリセット端子に供給されてカウンター回路１１２をリセットする。このカウンター回路１１２の出力は、駆動停止位置検出回路１１４に供給され、この駆動停止位置検出回路１１４の出力が駆動クロック停止信号発生回路１１５のセット端子に供給される。この表示終了検出信号１９ａによって、図２０にも示すようにカウンター回路１１２をリセットすることにより駆動クロック停止信号発生回路１１５で駆動クロック停止信号３ｊを得ることができ、同期信号を利用することなく図３に示した実施形態と同様の動作をさせることができる。
【００５９】
この実施形態においては、上述の他の実施形態の場合と異なり、同期信号を用いずに表示位置信号３ｃを利用して表示開始検出信号３ｆと表示終了検出信号１９ａとを得ているもので、位相変動・同期変動に関わらず正常に駆動することができる。この回路構成は、図３に図示の実施形態以外の他の実施形態にも同様に適用することが可能である。
【００６０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６１】
１０・・・・平面表示装置、１００・・・駆動回路、２００、３００・・・ドライバー、４００・・・表示領域、１１１・・・同期信号検出回路、１１２・・・カウンター回路、１１３・・・スタートパルス発生回路、１１４・・・駆動停止位置検出回路、１１５・・・駆動クロック停止信号発生回路、１１６・・・表示開始位置検出回路、１１７・・・駆動クロック出力回路、１１８・・・駆動クロック発生回路、１２１・・・スタートパルス位置設定回路、１２３・・・前ダミー駆動幅調整回路、１２４・・・演算回路、１３０・・・データ出力回路、  １５０・・・表示終了位置検出回路。
【図１】
2011081246.tif 000003
【図２】
2011081246.tif 000004
【図３】
2011081246.tif 000005
【図４】
2011081246.tif 000006
【図５】
2011081246.tif 000007
【図６】
2011081246.tif 000008
【図７】
2011081246.tif 000009
【図８】
2011081246.tif 000010
【図９】
2011081246.tif 000011
【図１０】
2011081246.tif 000012
【図１１】
2011081246.tif 000013
【図１２】
2011081246.tif 000014
【図１３】
2011081246.tif 000015
【図１４】
2011081246.tif 000016
【図１５】
2011081246.tif 000017
【図１６】
2011081246.tif 000018
【図１７】
2011081246.tif 000019
【図１８】
2011081246.tif 000020
【図１９】
2011081246.tif 000021
【図２０】
2011081246.tif 000022